(57)【要約】      （修正有）【課題】月経困難症を緩和する効果を得ることができる月経困難症緩和装置を提供する。【解決手段】月経困難症緩和装置は、主に女性用下半身下着１上に接合される。月経困難症緩和装置は、女性用下半身下着１の下腹部１１に対応する位置に、ジョイント２２を有するケーブル２１が引き出された電熱板２が配置されている。ジョイント２２は、女性用下半身下着１の弾性ベルト１２の箇所に位置決めされ、ジョイント２２と電力供給装置３の組み込み接続端３１とが導通され、電熱板２が温熱を発生させる。【選択図】図１
0003161169.tif 000002
【実用新案登録請求の範囲】
【請求項１】
主に、女性用下半身下着上に接合される月経困難症緩和装置であって、
前記女性用下半身下着の下腹部に対応する位置に、ジョイントを有するケーブルが引き出された電熱板が配置され、前記ジョイントは、前記女性用下半身下着の弾性ベルトの箇所に位置決めされ、前記ジョイントと電力供給装置の組み込み接続端とが導通され、前記電熱板が温熱を発生させることを特徴とする月経困難症緩和装置。
【請求項２】
前記電熱板は、前記女性用下半身下着の下腹部に対応する位置に、布を介してミシン縫いされることにより、位置決め接合されることを特徴とする請求項１記載の月経困難症緩和装置。
【請求項３】
前記電力供給装置上には、温度制御装置およびタイマを含むスイッチが配置されていることを特徴とする請求項１記載の月経困難症緩和装置。
【考案の詳細な説明】
【技術分野】
【０００１】
本考案は月経困難症緩和装置に関し、特に、女性用下半身下着中に温熱効果を発生させる電熱装置を配置することにより、女性の月経期間に発生する月経困難症などの不快な状況を緩和することができる月経困難症緩和装置に関する。
【背景技術】
【０００２】
月経痛または月経困難症と呼ばれる症状は、婦人科を訪れる患者に最もよく見られる症状の１つである。約６０％以上の女性は、月経困難症の疼痛に悩まされた経験がある。その中で、約１０％の女性は、月経困難症の疼痛のために、学校や仕事に行くことができなくなってしまう。月経困難症は、大きく分けて原発性月経困難症と続発性月経困難症の２つに分類される。原発性月経困難症は、骨盤腔内に何の病変もない月経困難症であり、一般に、初潮後、１年から２年以内に発症する。一般に、原発性月経困難症による疼痛は、月経の初日から２日目に発生するのみである。一方、続発性月経困難症は、骨盤腔内の病変が引き起こす月経困難症である。続発性月経困難症は、初潮後、数年経ってから発症する。また、その症状は、常に存在するか、或いは、悪化し続ける。また、症状が重い人は、月経前から疼痛が発生する上、月経終了後も疼痛が継続する。
【０００３】
一般に、原発性月経困難症の場合、経血が排出される数時間前に疼痛が発生し始めるか、或いは、経血と共に疼痛が発生し、疼痛は、数時間から数日継続する。疼痛は、主に、下腹部に発生し、人によっては、吐き気、嘔吐、倦怠感、下痢、背中の痛み、頭痛などの症状を伴う。原発性月経困難症は、子宮が過多のプロスタグランジンを生成することにより、子宮が激しく収縮し、子宮が血流不足となることによって発症する。その結果、痙攣に似た収縮による激痛が発生し、その疼痛は、背中下部または大腿部前側にまで広がる。
【０００４】
続発性月経困難症は、骨盤腔内の病変が引き起こす月経困難症である。原因として考えられるものは、子宮内膜症、骨盤内うっ血症、骨盤内炎症性疾患、子宮筋腫、卵巣腫瘍、子宮内膜ポリープ、子宮内避妊具、子宮腔内癒着症、子宮の先天性異常などが挙げられる。これらの疾患がある患者には、詳細な問診、婦人科での検査、さらには、腹腔鏡検査が必要であり、これらを行うことにより、正確な病因を究明し、病状に応じた治療薬を投薬することができる。続発性月経困難症の病因として最も多いのは、子宮内膜症であり、月経困難症の二分の一から三分の一の原因が子宮内膜症である。
【０００５】
一般の軽微な月経困難症であれば、湯たんぽで下腹部を温めたり、温かい物を飲んだり、お風呂に入ったり、軽微なマッサージを行ったりして骨盤腔の血液循環を改善することにより、疼痛を緩和することができるため、一日疼痛を我慢すればなんとか乗り越えられる。仮に、疼痛が改善されなかったり、疼痛を我慢できなかったりする場合は、人によっては、痛み止めを服用する場合もある。しかし、痛み止めを服用して月経困難症の疼痛を緩和する方法は、痛み止めの服用量が徐々に増加していき、身体に悪影響を及ぼすため、好ましくない。
【考案の概要】
【考案が解決しようとする課題】
【０００６】
本考案の主な目的は、身体密着型の下半身下着上に温熱を発生させる電熱板を配置することにより、月経困難症を緩和する効果を得ることができる月経困難症緩和装置を提供することにある。
本考案のもう一つの目的は、簡単な構造により、月経困難症を緩和する効果を得ることができる上、便利に使用できるという効果を有する月経困難症緩和装置を提供することにある。
【課題を解決するための手段】
【０００７】
上記課題を解決するために、本考案の第１の形態によれば、主に、女性用下半身下着上に接合される月経困難症緩和装置であって、前記女性用下半身下着の下腹部に対応する位置に、ジョイントを有するケーブルが引き出された電熱板が配置され、前記ジョイントは、前記女性用下半身下着の弾性ベルトの箇所に位置決めされ、前記ジョイントと電力供給装置の組み込み接続端とが導通され、前記電熱板が温熱を発生させることを特徴とする月経困難症緩和装置が提供される。
【０００８】
また、前記電熱板は、前記女性用下半身下着の下腹部に対応する位置に、布を介してミシン縫いされることにより、位置決め接合されることが好ましい。
【０００９】
また、前記電力供給装置上には、温度制御装置およびタイマを含むスイッチが配置されていることが好ましい。
【考案の効果】
【００１０】
本考案の月経困難症緩和装置は、従来技術によるものと比較して以下（１）及び（２）の長所を有する。
（１）身体密着型の下半身下着上に温熱を発生させる電熱板を配置することにより、月経困難症を緩和する効果を得ることができる。
（２）簡単な構造により、月経困難症を緩和する効果を得ることができる上、便利に使用できるという効果を有する。
【図面の簡単な説明】
【００１１】
【図１】本考案の第１実施形態による月経困難症緩和装置を示す分解斜視図である。
【図２】本考案の第１実施形態による月経困難症緩和装置を使用するときの状態を示す斜視図である。
【図３】本考案の第２実施形態による月経困難症緩和装置を示す分解斜視図である。
【考案を実施するための形態】
【００１２】
（第１実施形態）
図１および図２を参照する。図１は、本考案の第１実施形態による月経困難症緩和装置を示す分解斜視図である。図２は、本考案の第１実施形態による月経困難症緩和装置を使用する状態を示す斜視図である。
第１実施形態による月経困難症緩和装置は、主に、女性用下半身下着１上に接合される。下半身下着の下腹部１１に対応する位置には、ジョイント２２を有するケーブル２１が引き出された電熱板２が配置されている。ジョイント２２は、女性用下半身下着１の弾性ベルト１２の箇所に位置決めされる。ジョイント２２と電力供給装置３の組み込み接続端３１とを導通させることにより、電熱板２に温熱が発生する。
【００１３】
図１および図２に示すように、月経困難症緩和装置を実際に使用する際、布１３を利用することにより、女性用下半身下着１の下腹部１１に対応する位置に電熱板２を直接ミシン縫いして接合することができる。次に、ミシン縫いまたは接着により、電熱板２のケーブル２１の一方の端部のジョイント２２を女性用下半身下着１の弾性ベルト１２に対応する位置に固定する。ここで、ジョイント２２は、ジャック２２１の形態であり、電力供給装置３の組み込み接続端３１は、プラグ３１１の形態である。電力供給装置３のプラグ３１１を電熱板２のジャック２２１に挿入接続することにより、導通させることができる。
【００１４】
通電された後、電熱板２に温熱が発生し、その温熱が女性の腹部に伝達されることにより、月経期間に発生する月経困難症および他の不快感を緩和することができる。
【００１５】
このほか、電力供給装置３上には、温度制御装置およびタイマーを含むスイッチ３２を配置することができる。また、電力供給装置３は、ユーザのポケット内に配置して使用したり、フックを配置し、ユーザの衣服上に懸掛して使用したりすることができる。
【００１６】
（第２実施形態）
図３を参照する。図３に示すように、第２実施形態においては、プラグ２２２の形態であるジョイント２２が挿入孔３１２の形態である電力供給装置３の組み込み接続端３１に挿入接続されることにより、通電される。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１  女性用下半身下着
２  電熱板
３  電力供給装置
１１  下腹部
１２  弾性ベルト
１３  布
２１  ケーブル
２２  ジョイント
３１  組み込み接続端
３２  スイッチ
２２１  ジャック
２２２  プラグ
３１１  プラグ
３１２  挿入孔
【図１】
0003161169.tif 000003
【図２】
0003161169.tif 000004
【図３】
0003161169.tif 000005